(57)【要約】【課題】デザイン性、使いやすさ、多彩なバリエーションの全てを兼ね備えた自在帽子を提供することを課題とする。【解決手段】本発明は、伸縮性に優れ、上下が開放した筒状の布からなる自在帽子において、当該帽子の下縁部を構成し、着用者の額周辺に位置するフィッティング部と；前記フィッティング部から筒状に上方に延びる形態調整部とを備える。また、前記形態調整部の前方部分は後方部分よりも長く、当該帽子の背面には、前記形態調整部の先端側又は着用者の髪を通して保持可能なリング状の第１保持部が形成される。更に、前記第１保持部の下方には、前記第１保持部よりも径の小さなリング状の第２保持部が形成され、前記形態調整部の先端又は当該帽子の一部を保持可能となっている。そして、前記第１保持部及び第２保持部と、前記形態調整部との使用形態によって、複数種類の帽子スタイルを構成可能であることを特徴とする。【選択図】図３
2012237076.tif 000002
【特許請求の範囲】
【請求項１】
伸縮性に優れ、上下が開放した筒状の布からなる自在帽子において、
当該帽子の下縁部を構成し、着用者の額周辺に位置するフィッティング部と；
前記フィッティング部から筒状に上方に延びる形態調整部とを備え、
前記形態調整部の前方部分は後方部分よりも長く、
当該帽子の背面には、前記形態調整部の先端側又は着用者の髪を通して保持可能なリング状の第１保持部が形成され、
前記第１保持部の下方には、前記第１保持部よりも径の小さなリング状の第２保持部が形成され、前記形態調整部の先端又は当該帽子の一部を保持可能となっており、
前記第１保持部及び第２保持部と、前記形態調整部との使用形態によって、複数種類の帽子スタイルを構成可能であることを特徴とする自在帽子。
【請求項２】
前記第１保持部は、外周の一部分のみが当該帽子に対して固定され、着用者の髪の毛と前記形態調整部の何れか一方又は両方を保持でき、それ自体を輪ゴムのように１重又は２重以上にして締め付け強さが調整可能であることを特徴とする請求項１に記載の自在帽子。
【請求項３】
前記形態調整部の内側には、タグが設けられ、当該タグを前記第２保持部に差し込むことによって前記形態調整部を固定可能に構成されていることを特徴とする請求項１又は２に記載の自在帽子。
【請求項４】
当該帽子は１枚の布から構成され、
前記フィッティング部は、該当箇所にギャザーを設けることによって形成されることを特徴とする請求項１乃至３の何れか一項に記載の自在帽子。
【発明の詳細な説明】
【技術分野】
【０００１】
本発明は、複数のスタイルで使用可能な帽子に関する。
【背景技術】
【０００２】
これまで、ネックウォーマー、帽子、マフラー、バンダナ等の複数の用途を兼ねた帽子が種々提案されている。
【先行技術文献】
【特許文献】
【０００３】
【特許文献１】登録実用新案３０３２６０１号公報
【特許文献２】特開２０１０−１１９８１６号公報
【特許文献３】特開２００９−２７０２４５号公報
【特許文献４】登録実用新案３１３９１２６号公報
【特許文献５】登録実用新案３１０５２７１号公報
【０００４】
しかしながら、従来の多用途帽子は、デザイン性、使いやすさ、多彩なバリエーションの全てを兼ね備えたものが存在しなかった。
【発明の開示】
【発明が解決しようとする課題】
【０００５】
本発明は上記のような状況に鑑みてなされたものであり、デザイン性、使いやすさ、多彩なバリエーションの全てを兼ね備えた自在帽子を提供することを目的とする。
【課題を解決するための手段】
【０００６】
上記のような目的を達成するために、本発明は、伸縮性に優れ、上下が開放した筒状の布からなる自在帽子において、当該帽子の下縁部を構成し、着用者の額周辺に位置するフィッティング部と；前記フィッティング部から筒状に上方に延びる形態調整部とを備える。また、前記形態調整部の前方部分は後方部分よりも長く、当該帽子の背面には、前記形態調整部の先端側又は着用者の髪を通して保持可能なリング状の第１保持部が形成される。更に、前記第１保持部の下方には、前記第１保持部よりも径の小さなリング状の第２保持部が形成され、前記形態調整部の先端又は当該帽子の一部を保持可能となっている。そして、前記第１保持部及び第２保持部と、前記形態調整部との使用形態によって、複数種類の帽子スタイルを構成可能であることを特徴とする。
【発明の効果】
【０００７】
本発明によれば、構造的にシンプルでありながら、多彩なバリエーションに容易に変更でき、更にファッション性にも優れる帽子を提供できる。
【図面の簡単な説明】
【０００８】
【図１】図１は、本発明に係る帽子の正面図である。
【図２】図２は、本発明に係る帽子の左側面図である。
【図３】図３は、本発明に係る帽子の背面図である。
【図４】図４は、本発明に係る帽子の使用形態及びかぶり方を示す説明図である。
【図５】図５は、本発明に係る帽子の使用形態及びかぶり方を示す説明図である。
【図６】図６は、本発明に係る帽子の使用形態及びかぶり方を示す説明図である。
【発明を実施するための最良の形態】
【０００９】
図１〜図３は、本発明に係る帽子の正面図、左側面図及び背面図である。本発明に係る帽子は、伸縮性に優れ、上下が開放した筒状の布からなる自在帽子である。図１〜図３に示すように、本発明の帽子は、下縁部を構成し、着用者の額周辺に位置するフィッティング部１０と；フィッティング部１０から上方に延びる形態調整部１２とを備えている。
【００１０】
形態調整部１２の前方部分は後方部分よりも長く、竹を斜めに切ったような形状となっている。帽子の背面には、形態調整部１２の先端側１２ａ又は着用者の髪を通して保持可能なリング状の第１保持部１４が設けられている。第１保持部１４は、外周の一部分のみが帽子に対して固定され、着用者の髪の毛と形態調整部１２の何れか一方又は両方を保持でき、それ自体を輪ゴムのように１重又は２重以上にして締め付け強さが調整可能となっている。
【００１１】
第１保持部１４は、図２及び図３に示すように、フィッティング部１０より上側の形態調整部１２に設けることが好ましく、髪をまとめる通常の位置（ポニーテールのまとめる位置）付近に配置する。第１保持部１４の下方には、第１保持部１４よりも径の小さなリング状又はベルト状の第２保持部１６が形成され、形態調整部１２の先端又は当該帽子の一部を保持可能となっている。第２保持部１６は、形態調整部１２の先端１２ａやタグ（図示せず）を最終的に保持することを基本的な機能とするため、第１保持部１４より下方のフィッティング部１０に設け、帽子の後方がヒラヒラとしないように固定することができる。
【００１２】
そして、第１保持部１４及び第２保持部１６と、形態調整部１２との使用形態によって、複数種類の帽子スタイルを構成可能となっている。なお、第１保持部１４及び第２保持部１６は、本体部（１０，１２）と同一の素材で形成することができる。また、第１保持部１４はチューブ状の伸縮性生地の内部に環状のゴムを挿入して構成することができる。第２保持部１６をベルト状とした場合には、左右両端部のみを本体部（１０，１２）に固定する。
【００１３】
形態調整部１２の内側には、タグ（ネームタグ等）が設けられ、当該タグを第２保持部１６に差し込むことによって形態調整部１２を固定可能になっている。本発明に係る帽子は、１枚の布又は複数枚の布を縫い合わせることによって構成することができる。フィッティング部１０は、該当箇所にギャザーを設けることによって伸縮性を強め、着用者の額周辺にフィットするようになっている。
【００１４】
ここで、帽子本体は、伸縮性のある生地として、２ＷＡＹストレッチ生地（一般的に、水着の素材として使用されている生地）または、ニット生地(セーターなどの生地）で製造することができる。素材は、ポリエステルとポリウレタンの混合（例えば、ポリエステル８５％ポリウレタン１５％）や、ナイロン８０％ポリウレタン２０％等を使用することができる。
【００１５】
次に、図４〜図６を参照して、本発明に係る帽子の使用形態及び、かぶり方について説明する。図４に示す「スタイル１」では、（１）両手で帽子のフィッティング部１０を広げ、（２）頭からかぶって首まで下げる。次に、（３）髪の毛を全て外に出した状態で帽子を引き上げる。最後に、（４）額にフィッティング部１０を合わせ、形態調整部１２を後方に垂らす。スタイル１は、本発明の帽子を使用する上での準備段階と言えるが、そのまま使用しても何ら問題はない。
【００１６】
次に、図４に示す「スタイル２」において完成した状態を横及び後から見た様子を示す。かぶり方としては、先ず、（１）スタイル１の準備段階から、形態調整部１２の先端部１２ａ側を顔の前に垂らして、髪を留める。次に、（２）形態調整部１２を上方に持ち上げて、全体の形状を整える。その後、（３）タグ（図示せず）を第２保持部１６の中に通して、固定する。
【００１７】
次に、図５に示す「スタイル３」において完成した状態を横及び後から見た様子を示す。かぶり方としては、（１）〜（３）に示すように、スタイル１の準備段階から、形態調整部１２をつまんで、第１保持部１４を輪ゴムのように使って、形態調整部１２だけをまとめる。この時、予め髪の毛はスタイル２（２）のようにまとめておく。
【００１８】
次に、図５に示す「スタイル４」において完成した状態を横及び後から見た様子を示す。かぶり方としては、（１）に示すように、スタイル１の準備段階から、予めまとめた髪を形態調整部１２で包み込む。その後、（２）第１保持部１４を輪ゴムのように使って、包まれた髪の毛を第１保持部１４で固定する。
【００１９】
次に、図５に示す「スタイル５」において完成した状態を横及び後から見た様子を示す。かぶり方としては、（１）に示すように、スタイル１の準備段階から、まとめてない状態の髪を形態調整部１２で包み込む。次に、（２）−（３）に示すように、第１保持部１４を輪ゴムのように使って、髪の毛と形態調整部１２とを一緒に第１保持部１４で留め、髪を回して固定する。
【００２０】
次に、図６に示す「スタイル６」、「スタイル７」において完成した状態を横及び後から見た様子を示す。スタイル６は、スタイル１と同じである。スタイル７では帽子をヘアバンドのようにし、第１保持部１４で髪の毛をまとめる。図６の（１）、（２）は、形態調整部１２の長さを調整する方法を示す。長さを短くする場合には、形態調整部１２の下側をフィッティング部１０の内側に入れ込む。
【００２１】
以上、本発明の実施例について説明したが、本発明はこれらの実施例に何ら限定されるものではなく、特許請求の範囲に示された技術的思想の範疇において変更可能なものである。
【符号の説明】
【００２２】
１０：フィッティング部（ギャザー）
１２：形態調整部
１４：第１保持部
１６：第２保持部
【図１】
2012237076.tif 000003
【図２】
2012237076.tif 000004
【図３】
2012237076.tif 000005
【図４】
2012237076.tif 000006
【図５】
2012237076.tif 000007
【図６】
2012237076.tif 000008